(57)【要約】【課題】本願発明は環境管理に基づく地質検査サンプリング機器を開示した。        【解決手段】本願発明の環境管理に基づく地質検査サンプリング機器は、ボディを含み、前記ボディの左端面にはハンドルが固定的に設置され、前記ボディの中には収縮チャンバーが設置され、前記収縮チャンバーの中には回転軸により取付ブロックが回転できるように設置され、前記取付ブロックにはドリル装置が設置され、前記収縮チャンバーの左側にはサンプリングチャンバーが連通するように設置され、前記サンプリングチャンバーの中には転向軸によりサンプリング盤が回転できるように設置され、本願発明はドリル軸の回転により岩や硬い地質にドリルサンプリングを行い、異なる深さの岩層の粉を直接に瓶詰めをし、人力サンプリングの時間を節約し、且つサンプリング効率が高い。【選択図】図１
2020204245.tif 000002
【特許請求の範囲】
【請求項１】
正面視で、ボディを含み、
前記ボディの左端面にはハンドルが固定的に設置され、前記ボディの中には収縮チャンバーが設置され、前記収縮チャンバーの中には回転軸により取付ブロックが回転できるように設置され、前記取付ブロックにはドリル装置が設置され、前記収縮チャンバーの後側には動力切替装置が設置され、前記回転軸が前記動力切替装置と動力が伝達できるように連結され、
前記収縮チャンバーの左側にはサンプリングチャンバーが連通するように設置され、前記サンプリングチャンバーの中には転向軸によりサンプリング盤が回転できるように設置され、前記サンプリングチャンバーの後端壁には回転モーターが固定的に設置され、前記転向軸の後端が前記回転モーターに動力が伝達できるように連結され、
前記サンプリング盤の中には回転チャンバーが設置され、前記回転チャンバーの中には回転盤が設置され、前記回転盤には六つの収容装置が環状に配され、前記回転チャンバーの上側には動力伝達装置が設置され、前記回転盤が前記動力伝達装置と噛み合うように連結され、前記サンプリングチャンバーの上側には単方向伝動装置が設置され、前記単方向伝動装置が前記転向軸と動力が伝達できるように連結され、
前記ドリル装置が回転してドリル作業を行い、前記収容装置によりドリルした後の岩粉を積み込むことができることを特徴とする環境管理に基づく地質検査サンプリング機器。
【請求項２】
前記ドリル装置は噛合チャンバーを含み、
前記噛合チャンバーの中にはドリル軸が回転できるように設置され、前記ドリル軸の右端が外部空間に延び、且つ前記ドリル軸には輸送オールが螺旋状に取り付けられ、前記ドリル軸の外周には輸送パイプが設置され、前記輸送パイプが前記ドリル軸を包み、前記輸送パイプが前記取付ブロックに固定的に取り付けられ、前記輸送パイプの下側には抜き穴が連通するように設置され、
前記噛合チャンバーの中の前記ドリル軸には第一ベベルギアが固定的に設置され、前記第一ベベルギアの後端には第二ベベルギアが噛み合うように連結され、前記第二ベベルギアの後端面には歯車軸が固定的に設置され、前記歯車軸の後端が前記動力切替装置と動力が伝達できるように連結されることを特徴とする請求項１に記載の環境管理に基づく地質検査サンプリング機器。
【請求項３】
前記動力切替装置は切替チャンバーを含み、
前記回転軸と前記歯車軸の後端が全部前記切替チャンバーの中に延び、前記切替チャンバーの中の前記歯車軸にはスプラインブロックが固定的に設置され、前記スプラインブロックの前側にはスプラインブロックとスプラインにより連結されることができるスプラインスリーブが設置され、前記スプラインスリーブの外周が前記回転軸とスプラインにより連結され、前記スプラインスリーブの外周には移動ブロックが回転できるように設置され、
前記切替チャンバーの前端壁には動力モーターが固定的に設置され、前記動力モーターの後端には動力軸が動力が伝達できるように取り付けられ、前記動力軸には動力歯車が固定的に設置され、前記動力歯車が前記スプラインスリーブと噛み合っており、
前記切替チャンバーの左側にはガイドスライド溝により押しチャンバーが連通するように設置され、前記移動ブロックの左端が前記押しチャンバーの中に延び且つ前記移動ブロックの左端には押し回転ロッドがヒンジにより連結され、前記押し回転ロッドと前記押しチャンバーとの間にはねじりバネが固定的に設置されていることを特徴とする請求項１に記載の環境管理に基づく地質検査サンプリング機器。
【請求項４】
前記収容装置は置きチャンバーを含み、
前記置きチャンバーの内端壁には滑り防止マットが固定的に設置され、
前記置きチャンバーの中には収容瓶が設置され、前記収容瓶の中には収容チャンバーが設置され、前記収容チャンバーの中には漏斗が設置され、前記漏斗の左端には密封板が設置され、前記密封板が前記収容チャンバーの中に位置しており、前記密封板と前記漏斗との間には伸縮バネが固定的に設置されていることを特徴とする請求項１に記載の環境管理に基づく地質検査サンプリング機器。
【請求項５】
前記動力伝達装置は前記回転チャンバーと連通した伝動チャンバーを含み、
前記伝動チャンバーの中には連結軸により伝動歯車が回転できるように設置され、前記伝動歯車が前記回転盤と噛み合っており、前記連結軸には第三ベベルギアが固定的に設置され、前記第三ベベルギアの上側には第四ベベルギアが噛み合うように連結され、前記第四ベベルギアの芯軸の上端には第五ベベルギアが固定的に設置され、前記第五ベベルギアが前記単方向伝動装置と噛み合うように連結されることを特徴とする請求項１に記載の環境管理に基づく地質検査サンプリング機器。
【請求項６】
前記単方向伝動装置は前記サンプリングチャンバーと連通した連結チャンバーを含み、
前記連結チャンバーの中には固定軸により第六ベベルギアが回転できるように設置され、前記固定軸にはロック孔が設置され、前記第六ベベルギアが前記第五ベベルギアと噛み合っており、前記第六ベベルギアの後側には第七ベベルギアが噛み合うように連結され、前記第七ベベルギアの枢軸には伝動回転軸が固定的に設置され、前記連結チャンバーの後側が単方向回転チャンバーに連通され、前記伝動回転軸の後端が前記単方向回転チャンバーの中に伸び且つ前記伝動回転軸の後端には回転輪が固定的に設置され、前記回転輪の中には内ラチェットギアが噛み合うように連結され、前記内ラチェットギアと前記転向軸との間にはベルトにより動力が伝達できるように連結され、
前記サンプリングチャンバーの左端壁の中には押しチャンバーが連通するように設置され、前記押しチャンバーの中には押しブロックがスライドできるように設置され、前記押しブロックの左端と前記押しチャンバーとの間には第一バネが固定的に設置され、前記押しブロックの中には凹溝が設置され、
前記押しチャンバーの上側にはスライドチャンバーが連通するように設置され、前記スライドチャンバーの中にはスライドロッドがスライドできるように設置され、前記スライドロッドの上端が前記ロック孔の中に挿入でき、前記スライドロッドの中には貫通溝が設置され、前記押しブロックが前記貫通溝を貫通しており、前記スライドロッドの下端にはリセットバネが固定的に設置されていることを特徴とする請求項１に記載の環境管理に基づく地質検査サンプリング機器。
【請求項７】
前記固定軸は二段構造であり、且つ二段の間がねじりバネにより連結されていることを特徴とする請求項６に記載の環境管理に基づく地質検査サンプリング機器。
【発明の詳細な説明】
【技術分野】
【０００１】
本願発明は地質検査技術分野に関し、具体的には環境管理に基づく地質検査サンプリング機器である。
【背景技術】
【０００２】
従来の岩層地質検査サンプリング装置は、ドリルツールで岩層をドリルした後に、サンプリング補助ツールを使って岩層粉を取り出し、また人力的に粉サンプリングを瓶の中に入れ、過程全体において自動化程度が低く、人力操作の速度が遅く、効率が低く、且つサンプリング装置がドリル装置と分離されているため、サンプリングに必要なツールを携帯する時に不便をかける。本願発明の装置は上記問題を解決できる。
【先行技術文献】
【特許文献】
【０００３】
【特許文献１】中国特許出願公開第１０１８４６５９５号明細書
【発明の概要】
【発明が解決しようとする課題】
【０００４】
技術問題：従来の岩層地質検査サンプリング装置は、自動化程度が低く、人力操作の速度が遅く、効率が低い。
【課題を解決するための手段】
【０００５】
本願発明は以下の技術プランを通じて実現する：本願発明の前記環境管理に基づく地質検査サンプリング機器は、ボディを含み、前記ボディの左端面にはハンドルが固定的に設置され、前記ボディの中には収縮チャンバーが設置され、前記収縮チャンバーの中には回転軸により取付ブロックが回転できるように設置され、前記取付ブロックにはドリル装置が設置され、前記収縮チャンバーの後側には動力切替装置が設置され、前記回転軸が前記動力切替装置と動力が伝達できるように連結され、前記収縮チャンバーの左側にはサンプリングチャンバーが連通するように設置され、前記サンプリングチャンバーの中には転向軸によりサンプリング盤が回転できるように設置され、前記サンプリングチャンバーの後端壁には回転モーターが固定的に設置され、前記転向軸の後端が前記回転モーターに動力が伝達できるように連結され、前記サンプリング盤の中には回転チャンバーが設置され、前記回転チャンバーの中には回転盤が設置され、前記回転盤には六つの収容装置が環状に配され、前記回転チャンバーの上側には動力伝達装置が設置され、前記回転盤が前記動力伝達装置と噛み合うように連結され、前記サンプリングチャンバーの上側には単方向伝動装置が設置され、前記単方向伝動装置が前記転向軸と動力が伝達できるように連結され、前記ドリル装置が回転してドリル作業を行い、前記収容装置によりドリルした後の岩粉を積み込むことができる。
【０００６】
好ましくは、前記ドリル装置は噛合チャンバーを含み、前記噛合チャンバーの中にはドリル軸が回転できるように設置され、前記ドリル軸の右端が外部空間に延び、且つ前記ドリル軸には輸送オールが螺旋状に取り付けられ、前記ドリル軸の外周には輸送パイプが設置され、前記輸送パイプが前記ドリル軸を包み、前記輸送パイプが前記取付ブロックに固定的に取り付けられ、前記輸送パイプの下側には抜き穴が連通するように設置され、前記噛合チャンバーの中の前記ドリル軸には第一ベベルギアが固定的に設置され、前記第一ベベルギアの後端には第二ベベルギアが噛み合うように連結され、前記第二ベベルギアの後端面には歯車軸が固定的に設置され、前記歯車軸の後端が前記動力切替装置と動力が伝達できるように連結され、前記ドリル軸が回転して岩にドリルすることに用いられ、ドリルして生成された岩粉が前記輸送パイプにより左方に輸送され、前記抜き穴により排出され、サンプリングに使用できる。
【０００７】
好ましくは、前記動力切替装置は切替チャンバーを含み、前記回転軸と前記歯車軸の後端が全部前記切替チャンバーの中に延び、前記切替チャンバーの中の前記歯車軸にはスプラインブロックが固定的に設置され、前記スプラインブロックの前側にはスプラインブロックとスプラインにより連結されることができるスプラインスリーブが設置され、前記スプラインスリーブの外周が前記回転軸とスプラインにより連結され、前記スプラインスリーブの外周には移動ブロックが回転できるように設置され、前記切替チャンバーの前端壁には動力モーターが固定的に設置され、前記動力モーターの後端には動力軸が動力が伝達できるように取り付けられ、前記動力軸には動力歯車が固定的に設置され、前記動力歯車が前記スプラインスリーブと噛み合っており、前記切替チャンバーの左側にはガイドスライド溝により押しチャンバーが連通するように設置され、前記移動ブロックの左端が前記押しチャンバーの中に延び且つ前記移動ブロックの左端には押し回転ロッドがヒンジにより連結され、前記押し回転ロッドと前記押しチャンバーとの間にはねじりバネが固定的に設置され、前記動力モーターは前記回転軸を駆動して回転させまたは前記ドリル装置を駆動して動作させることができる。
【０００８】
好ましくは、前記収容装置は置きチャンバーを含み、前記置きチャンバーの内端壁には滑り防止マットが固定的に設置され、前記置きチャンバーの中には収容瓶が設置され、前記収容瓶の中には収容チャンバーが設置され、前記収容チャンバーの中には漏斗が設置され、前記漏斗の左端には密封板が設置され、前記密封板が前記収容チャンバーの中に位置しており、前記密封板と前記漏斗との間には伸縮バネが固定的に設置され、前記漏斗により岩粉を前記収容チャンバーの中に充填し、自然の状態のもとで、粉が前記収容チャンバーの中にのみ入ることができて流出することはない。
【０００９】
好ましくは、前記動力伝達装置は前記回転チャンバーと連通した伝動チャンバーを含み、前記伝動チャンバーの中には連結軸により伝動歯車が回転できるように設置され、前記伝動歯車が前記回転盤と噛み合っており、前記連結軸には第三ベベルギアが固定的に設置され、前記第三ベベルギアの上側には第四ベベルギアが噛み合うように連結され、前記第四ベベルギアの芯軸の上端には第五ベベルギアが固定的に設置され、前記第五ベベルギアが前記単方向伝動装置と噛み合うように連結され、前記伝動歯車が回転して前記回転盤を回転連動させることができることにより、前記収容瓶を切り替えて異なるサンプルを収容できる。
【００１０】
好ましくは、前記単方向伝動装置は前記サンプリングチャンバーと連通した連結チャンバーを含み、前記連結チャンバーの中には固定軸により第六ベベルギアが回転できるように設置され、前記固定軸にはロック孔が設置され、前記第六ベベルギアが前記第五ベベルギアと噛み合っており、前記第六ベベルギアの後側には第七ベベルギアが噛み合うように連結され、前記第七ベベルギアの枢軸には伝動回転軸が固定的に設置され、前記連結チャンバーの後側が単方向回転チャンバーに連通され、前記伝動回転軸の後端が前記単方向回転チャンバーの中に伸び且つ前記伝動回転軸の後端には回転輪が固定的に設置され、前記回転輪の中には内ラチェットギアが噛み合うように連結され、前記内ラチェットギアと前記転向軸との間にはベルトにより動力が伝達できるように連結され、前記サンプリングチャンバーの左端壁の中には押しチャンバーが連通するように設置され、前記押しチャンバーの中には押しブロックがスライドできるように設置され、前記押しブロックの左端と前記押しチャンバーとの間には第一バネが固定的に設置され、前記押しブロックの中には凹溝が設置され、前記押しチャンバーの上側にはスライドチャンバーが連通するように設置され、前記スライドチャンバーの中にはスライドロッドがスライドできるように設置され、前記スライドロッドの上端が前記ロック孔の中に挿入でき、前記スライドロッドの中には貫通溝が設置され、前記押しブロックが前記貫通溝を貫通しており、前記スライドロッドの下端にはリセットバネが固定的に設置され、
前記単方向伝動装置は前記サンプリング盤の反転動作により前記動力伝達装置を動作させることができる。
【００１１】
好ましくは、前記固定軸は二段構造であり、且つ二段の間がねじりバネにより連結されている。
【発明の効果】
【００１２】
本願発明の有益効果は：本願発明はドリル軸の回転により岩や硬い地質にドリルサンプリングを行い、ドリルする過程において、異なる深さの岩層の粉を直接に瓶詰めをし、そして、六つの収容瓶が自動的に位置を調節することができるため、充填待ちの収容瓶を充填位置に移動させることができ、過程全体が全自動的に操作され、人力サンプリングの時間を節約し、且つサンプリング効率が高い。
【図面の簡単な説明】
【００１３】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の環境管理に基づく地質検査サンプリング機器の全体構成模式図
【図２】図２は図１のＡ―Ａの拡大構成模式図
【図３】図３は図１のＢ―Ｂ方向の構成模式図
【図４】図４は図１のＣ方向の構成模式図
【図５】図５は図４のＤ方向の構成模式図
【図６】図６は図１のＥ方向の構成模式図
【発明を実施するための形態】
【００１５】
本願発明は環境管理に基づく地質検査サンプリング機器に関し、主に地質検査作業の地質サンプリング作業に適用され、下記に図面を合わせて本願発明を詳しく説明する。
【００１６】
本願発明の前記環境管理に基づく地質検査サンプリング機器は、ボディ１０を含み、前記ボディ１０の左端面にはハンドル６２が固定的に設置され、前記ボディ１０の中には収縮チャンバー１１が設置され、前記収縮チャンバー１１の中には回転軸２２により取付ブロック１２が回転できるように設置され、前記取付ブロック１２にはドリル装置６０１が設置され、前記収縮チャンバー１１の後側には動力切替装置６０２が設置され、前記回転軸２２が前記動力切替装置６０２と動力が伝達できるように連結され、前記収縮チャンバー１１の左側にはサンプリングチャンバー３４が連通するように設置され、前記サンプリングチャンバー３４の中には転向軸６１によりサンプリング盤３５が回転できるように設置され、前記サンプリングチャンバー３４の後端壁には回転モーター６０が固定的に設置され、前記転向軸６１の後端が前記回転モーター６０に動力が伝達できるように連結され、前記サンプリング盤３５の中には回転チャンバー３６が設置され、前記回転チャンバー３６の中には回転盤３７が設置され、前記回転盤３７には六つの収容装置６０３が環状に配され、前記回転チャンバー３６の上側には動力伝達装置６０４が設置され、前記回転盤３７が前記動力伝達装置６０４と噛み合うように連結され、前記サンプリングチャンバー３４の上側には単方向伝動装置６０５が設置され、前記単方向伝動装置６０５が前記転向軸６１と動力が伝達できるように連結され、前記ドリル装置６０１が回転してドリル作業を行い、前記収容装置６０３によりドリルした後の岩粉を積み込むことができる。
【００１７】
有益的に、前記ドリル装置６０１は噛合チャンバー１３を含み、前記噛合チャンバー１３の中にはドリル軸１６が回転できるように設置され、前記ドリル軸１６の右端が外部空間に延び、且つ前記ドリル軸１６には輸送オール１９が螺旋状に取り付けられ、前記ドリル軸１６の外周には輸送パイプ１５が設置され、前記輸送パイプ１５が前記ドリル軸１６を包み、前記輸送パイプ１５が前記取付ブロック１２に固定的に取り付けられ、前記輸送パイプ１５の下側には抜き穴１８が連通するように設置され、前記噛合チャンバー１３の中の前記ドリル軸１６には第一ベベルギア１４が固定的に設置され、前記第一ベベルギア１４の後端には第二ベベルギア２０が噛み合うように連結され、前記第二ベベルギア２０の後端面には歯車軸２１が固定的に設置され、前記歯車軸２１の後端が前記動力切替装置６０２と動力が伝達できるように連結され、前記ドリル軸１６が回転して岩にドリルすることに用いられ、ドリルして生成された岩粉が前記輸送パイプ１５により左方に輸送され、前記抜き穴１８により排出され、サンプリングに使用できる。
【００１８】
有益的に、前記動力切替装置６０２は切替チャンバー２３を含み、前記回転軸２２と前記歯車軸２１の後端が全部前記切替チャンバー２３の中に延び、前記切替チャンバー２３の中の前記歯車軸２１にはスプラインブロック２８が固定的に設置され、前記スプラインブロック２８の前側にはスプラインブロック２８とスプラインにより連結されることができるスプラインスリーブ２４が設置され、前記スプラインスリーブ２４の外周が前記回転軸２２とスプラインにより連結され、前記スプラインスリーブ２４の外周には移動ブロック３０が回転できるように設置され、前記切替チャンバー２３の前端壁には動力モーター２６が固定的に設置され、前記動力モーター２６の後端には動力軸２７が動力が伝達できるように取り付けられ、前記動力軸２７には動力歯車２５が固定的に設置され、前記動力歯車２５が前記スプラインスリーブ２４と噛み合っており、前記切替チャンバー２３の左側にはガイドスライド溝２９により押しチャンバー３１が連通するように設置され、前記移動ブロック３０の左端が前記押しチャンバー３１の中に延び且つ前記移動ブロック３０の左端には押し回転ロッド３２がヒンジにより連結され、前記押し回転ロッド３２と前記押しチャンバー３１との間にはねじりバネ３３が固定的に設置され、前記動力モーター２６は前記回転軸２２を駆動して回転させまたは前記ドリル装置６０１を駆動して動作させることができる。
【００１９】
有益的に、前記収容装置６０３は置きチャンバー３８を含み、前記置きチャンバー３８の内端壁には滑り防止マット４０が固定的に設置され、前記置きチャンバー３８の中には収容瓶３９が設置され、前記収容瓶３９の中には収容チャンバー４１が設置され、前記収容チャンバー４１の中には漏斗４２が設置され、前記漏斗４２の左端には密封板４３が設置され、前記密封板４３が前記収容チャンバー４１の中に位置しており、前記密封板４３と前記漏斗４２との間には伸縮バネ４４が固定的に設置され、前記漏斗４２により岩粉を前記収容チャンバー４１の中に充填し、自然の状態のもとで、粉が前記収容チャンバー４１の中にのみ入ることができて流出することはない。
【００２０】
有益的に、前記動力伝達装置６０４は前記回転チャンバー３６と連通した伝動チャンバー４６を含み、前記伝動チャンバー４６の中には連結軸４８により伝動歯車４５が回転できるように設置され、前記伝動歯車４５が前記回転盤３７と噛み合っており、前記連結軸４８には第三ベベルギア４７が固定的に設置され、前記第三ベベルギア４７の上側には第四ベベルギア４９が噛み合うように連結され、前記第四ベベルギア４９の芯軸５０の上端には第五ベベルギア５１が固定的に設置され、前記第五ベベルギア５１が前記単方向伝動装置６０５と噛み合うように連結され、前記伝動歯車４５が回転して前記回転盤３７を回転連動させることができることにより、前記収容瓶３９を切り替えて異なるサンプルを収容できる。
【００２１】
有益的に、前記単方向伝動装置６０５は前記サンプリングチャンバー３４と連通した連結チャンバー５２を含み、前記連結チャンバー５２の中には固定軸６４により第六ベベルギア５３が回転できるように設置され、前記固定軸６４にはロック孔６３が設置され、前記第六ベベルギア５３が前記第五ベベルギア５１と噛み合っており、前記第六ベベルギア５３の後側には第七ベベルギア５４が噛み合うように連結され、前記第七ベベルギア５４の枢軸には伝動回転軸５５が固定的に設置され、前記連結チャンバー５２の後側が単方向回転チャンバー５８に連通され、前記伝動回転軸５５の後端が前記単方向回転チャンバー５８の中に伸び且つ前記伝動回転軸５５の後端には回転輪５６が固定的に設置され、前記回転輪５６の中には内ラチェットギア５７が噛み合うように連結され、前記内ラチェットギア５７と前記転向軸６１との間にはベルト５９により動力が伝達できるように連結され、前記サンプリングチャンバー３４の左端壁の中には押しチャンバー７０が連通するように設置され、前記押しチャンバー７０の中には押しブロック６９がスライドできるように設置され、前記押しブロック６９の左端と前記押しチャンバー７０との間には第一バネ７２が固定的に設置され、前記押しブロック６９の中には凹溝７１が設置され、前記押しチャンバー７０の上側にはスライドチャンバー６５が連通するように設置され、前記スライドチャンバー６５の中にはスライドロッド６６がスライドできるように設置され、前記スライドロッド６６の上端が前記ロック孔６３の中に挿入でき、前記スライドロッド６６の中には貫通溝６８が設置され、前記押しブロック６９が前記貫通溝６８を貫通しており、前記スライドロッド６６の下端にはリセットバネ６７が固定的に設置され、前記単方向伝動装置６０５は前記サンプリング盤３５の反転動作により前記動力伝達装置６０４を動作させることができる。
【００２２】
有益的に、前記固定軸６４は二段構造であり、且つ二段の間がねじりバネ８０により連結されている。
【００２３】
以下に図１〜図６を交えて本願発明の環境管理に基づく地質検査サンプリング機器の使用ステップについて詳しく説明する：
【００２４】
使用する時、動力モーター２６が動作し、動力歯車２５を駆動し、スプラインスリーブ２４が回転軸２２を回転連動させ、ドリル軸１６を鉛直状態から水平状態まで回転させ、押し回転ロッド３２を押して移動ブロック３０を後方に移動させ、スプラインスリーブ２４が回転軸２２から離脱し、この時、スプラインスリーブ２４がスプライン２８と動力歯車２５とスプラインにより連結され、動力モーター２６が動作して歯車軸２１を回転連動させ、ドリル軸１６を回転させてドリル作業を行わせ、ドリルの過程においての岩粉が輸送パイプ１５により左方に輸送され、最後に抜き穴１８により排出され、サンプリングする必要があった時に、回転モーター６０が動作して転向軸６１を駆動して回転させ、サンプリング盤３５が収縮チャンバー１１の中に回転し且つサンプリング盤３５が水平状態にあり、岩粉が抜き穴１８により漏斗４２の中に落ち、最後に収容チャンバー４１の中に充填され、この時、押しブロック６９が第一バネ７２の弾性回復力の作用のもとで右方に移動し、スライドロッド６６がリセットバネ６７の作用のもとで上昇し、スライドロッド６６がロック孔６３と挿入するように連結され、固定軸６４を固定し、サンプリングが終わった後に、回転モーター６０が逆方向に回転し、サンプリング盤３５を初期状態に戻し、転向軸６１が回転した時に、ベルト５９により内ラチェットギア５７を回転させ、サンプリング盤３５が逆方向に回転した時に、内ラチェットギア５７が回転輪５６を回転連動させることができ、第七ベベルギア５４が第六ベベルギア５３を回転連動させ、この時スライドロッド６６が前記ロック孔６３と挿入するように連結された状態にあり、前記ねじりバネ８０が蓄力し、それにロック孔６３が回転しなく、サンプリング盤３５が押しブロック６９を押して左方に移動させた時に、スライドロッド６６が下降してロック孔６３から離脱し、ねじりバネ８０の弾性回復力により固定軸６４が第六ベベルギア５３を逆方向に回転連動させ、これにより第五ベベルギア５１が回転し、伝動により伝動歯車４５を回転させ、これにより回転盤３７が回転し、次の充填待ちの収容瓶３９を充填位置まで回転させる。
【００２５】
本願発明の有益効果は：本願発明はドリル軸の回転により岩や硬い地質にドリルサンプリングを行い、ドリルする過程において、異なる深さの岩層の粉を直接に瓶詰めをし、そして、六つの収容瓶が自動的に位置を調節することができるため、充填待ちの収容瓶を充填位置に移動させることができ、過程全体が全自動的に操作され、人力サンプリングの時間を節約し、且つサンプリング効率が高い。
【００２６】
以上の方式により、本分野の技術者が本願発明の範囲内に作動モードにより各種な変化を加えることができる。
【図１】
2020204245.tif 000003
【図２】
2020204245.tif 000004
【図３】
2020204245.tif 000005
【図４】
2020204245.tif 000006
【図５】
2020204245.tif 000007
【図６】
2020204245.tif 000008